(57)【要約】【課題】  し尿又は浄化槽汚泥を投入槽▲１▼へ受け入れる時、し尿又は浄化槽汚泥は投入槽▲１▼内で攪拌され、悪臭が発生する。この悪臭を含んだ空気が受入口▲２▼より漏れ、投入槽▲１▼の周辺に悪臭が飛散した。悪臭の飛散を防止するには、別途、脱臭設備が必要となる。その為、脱臭設備の維持管理費用が発生した。【解決手段】  上記の課題を解決する為、本発明では、投入槽▲１▼内に希釈水の一部又は他の用水を散水ノズル▲４▼より散水し、投入槽▲１▼内で発生した悪臭を吸収し、且つ、散水ノズル▲４▼より希釈水を散水する事により投入槽▲１▼内に下向流の空気流れを発生させ、投入槽▲１▼の上部を負圧化し受入口▲２▼より悪臭の漏れを防止した。【選択図】図４
2007146618.tif 000002
【特許請求の範囲】
【請求項１】
し尿又は浄化槽汚泥を下水道施設の汚水管路▲１０▼へ投入する投入槽▲１▼において、投入槽▲１▼内部に散水ノズル▲４▼を設置し、投入槽▲１▼内部に水滴を落下させる事により、悪臭成分を水滴に吸収させると同時に、投入槽▲１▼内に下向流の空気流れを発生させ、投入槽▲１▼上部の圧力を低下させ、受入口▲２▼より投入槽▲１▼内の空気が飛散する事を防止した投入槽▲１▼
【発明の詳細な説明】
【発明の属する技術】
【０００１】  本発明は、し尿又は浄化槽汚泥を下水道施設の汚水管路▲１０▼へ投入する投入槽▲１▼において、投入したし尿又は浄化槽汚泥より発生する悪臭の飛散防止に関するする技術である。
【背景技術】
【０００２】  従来技術を図１，図２に示す。従来技術で、し尿又は浄化槽汚泥を下水道施設の汚水管路▲１０▼へ投入する場合を図１、図２に示す。投入槽▲１▼には受入口▲２▼、希釈管▲８▼、流出管▲９▼、が設置されている。
バキュウム車で収集されたし尿又は浄化槽汚泥は、バキュウム車に設置されたゴムホース▲７▼を受入口▲２▼に差し込み投入槽▲１▼へ受け入れた。この時、希釈水を希釈管▲８▼よ投入槽▲１▼へ受け入れ希釈する。希釈されたし尿又は浄化槽汚泥は流出管▲９▼を経て、流出管▲９▼が接続された汚水管路▲１０▼へ流出する。受入口▲２▼には臭気が外部に飛散する事を防止する蓋▲６▼が設置してある。
【発明が解決しようとする課題】
【０００３】  し尿又は浄化槽汚泥を投入槽▲１▼へ受け入れる時、し尿又は浄化槽汚泥は投入槽▲１▼内で攪拌され投入槽▲１▼内部の空気が投入槽▲１▼外部へ漏れる。この悪臭を含んだ空気が受入口▲２▼より漏れ、投入槽▲１▼の周辺に悪臭が飛散した。悪臭の飛散を防止するには、別途、脱臭設備が必要となる。その為、脱臭設備の維持管理費用が発生した。
【課題を解決するための手段】
【０００４】  上記の課題を解決する為、本発明では、投入槽▲１▼内に希釈水の一部又は他の用水を散水ノズル▲４▼より散水し、投入槽▲１▼内で発生した悪臭を吸収し、且つ、散水ノズル▲４▼より希釈水を散水する事により投入槽▲１▼内に下向流の空気流れを発生させ、投入槽▲１▼の上部を負圧化し受入口▲２▼より悪臭の漏れを防止した。
【発明の実施形態】
【０００５】  次に本発明の実施形態について説明する。
図３、図４、図５は実施例を示す。投入槽▲１▼には従来技術と同様に受入口▲２▼、流出管▲９▼、希釈管▲８▼、が設置されている。本発明の技術は従来技術の他に投入槽▲１▼に散水管▲５▼、散水ノズル▲４▼が設置され、受入口▲２▼にはガイドパイプ▲３▼が設置されている。
バキュウム車で収集されたし尿又は浄化槽汚泥は、バキュウム車に設置されたゴムホース▲７▼を受入口▲２▼に差し込み投入槽▲１▼へ受け入れる。この時、希釈水を希釈管▲８▼よ投入槽▲１▼へ受け入れ希釈すが、同時に散水ノズル▲４▼より散水する。散水管▲５▼への用水は、希釈水の一部又は別の水源でも良い。散水管▲５▼への用水に酸、又はアルカリの臭気を吸収促進する薬剤を添加しても良い。
散水ノズル▲４▼より散水すると投入槽▲１▼内に水滴▲１１▼が落下する。この水滴に空気中の悪臭成分が溶解し吸収される。又、投入槽▲１▼内にこの水滴落下と同伴し空気の下向流が発生するので投入槽▲１▼上部の空気圧力は低下する。散水ノズル▲４▼より散水する前、投入槽▲１▼上部の空気圧力は投入槽▲１▼の外部圧力と同一である。従って、散水ノズル▲４▼より散水を開始すると投入槽▲１▼上部の空気圧力は投入槽▲１▼の外部圧力より低下する事になる。この事により、受入口▲２▼とバキュウム車に設置されたゴムホース▲７▼との隙間より投入槽▲１▼の外部の空気を投入槽▲１▼内部に吸引する事になり投入槽▲１▼内部の悪臭を投入槽▲１▼の外部へ飛散する事を防止できる。し尿又は浄化槽汚泥の受け入れが無い場合は、受入口▲２▼に設置した蓋▲６▼を閉とし悪臭の飛散を防止する。尚、散水ノズル▲４▼の設置位置は投入槽▲１▼の上部ほど効率は良いが水滴の落下効果が期待できる場所ならどの位置、方向でも良い。
又、受入口▲２▼より投入槽▲１▼へ受け入れたし尿及び浄化槽汚泥はガイドパイプ▲３▼により投入槽▲１▼内に落下するがこの時も散水ノズル▲４▼より散水する場合と同様にガイドパイプ▲３▼内に空気の下向流を発生させ投入槽▲１▼上部より空気を吸引する。その為、投入槽▲１▼上部の空気圧力は更に低下する。尚、ガイドパイプ▲３▼は図６に示す如く受入口▲２▼と一体としても良い。この場合は受入口▲２▼の一部、投入槽▲１▼上部近傍に吸気穴▲１２▼を設置する。
し尿及び浄化槽汚泥を受け入れる時、希釈水を希釈管▲８▼よ投入槽▲１▼へ受け入れ希釈する。尚、散水ノズル▲４▼より散水した用水は希釈水の一部となる。希釈されたし尿又は浄化槽汚泥は流出管▲９▼を経て、流出管▲９▼が接続された汚水管路▲１０▼へ流出する。
又、散水管▲５▼へ供給する用水は、希釈水と併用しても良い。この事により散水用水を削減できる。
図７に示す如く流出管▲９▼の一部を投入槽▲１▼内の水面により下部に接続する事により汚水管路▲１０▼よりの悪臭を含んだ空気の逆流を防止する事もできる。
【発明の効果】
【０００６】  本発明により、し尿又は浄化槽汚泥を下水道施設の汚水管路へ投入する装置において、脱臭装置が不要としても、悪臭の飛散が防止できる。又希釈水の一部を散水用水とすると、維持管理費の増加が無く悪臭の飛散が防止できる。
【図面の簡単な説明】
【図１】  従来技術の説明図（Ａ−Ａ面）
【図２】  従来技術の説明図（側面の断面）
【図３】  本発明の実施例（Ａ−Ａ面）
【図４】  本発明の実施例（側面の断面）
【図５】  本発明の実施例（Ｂ−Ｂ面）
【図６】  本発明のガイドパイプ実施例
【図７】  汚水管路▲１０▼よりの悪臭逆流を防止する実施例
【符号の説明】
▲１▼は投入槽、▲２▼は受入口、▲３▼はガイドパイプ、▲４▼は散水ノズル、▲５▼は散水管、▲６▼は蓋、▲７▼はゴムホース、▲８▼は希釈管、▲９▼は流出管、▲１０▼は汚水管路、▲１１▼は水滴、▲１２▼は吸気穴
【図１】
2007146618.tif 000003
【図２】
2007146618.tif 000004
【図３】
2007146618.tif 000005
【図４】
2007146618.tif 000006
【図５】
2007146618.tif 000007
【図６】
2007146618.tif 000008
【図６】
2007146618.tif 000009
【手続補正書】
【提出日】平成18年2月16日(2006.2.16)
【手続補正１】
【補正対象書類名】図面
【補正対象項目名】全図
【補正方法】変更
【補正の内容】
【図１】
2007146618.tif 000010
【図２】
2007146618.tif 000011
【図３】
2007146618.tif 000012
【図４】
2007146618.tif 000013
【図５】
2007146618.tif 000014
【図６】
2007146618.tif 000015
【図７】
2007146618.tif 000016